(57)【要約】【課題】広範囲に洗浄水を噴射することができ、付着力の強い汚れに対しても十分な洗浄性能を有する食器洗浄機食器洗浄機を提供する。【解決手段】アームノズル１８は、第２軸線ａ２を中心として回転しつつ洗浄水を噴射する回転体ノズル２０と、回転体ノズル２０に食器類を洗浄するための洗浄水を供給する供給口１９ｄと、回転体ノズル２０に回転力を与えるための洗浄水を噴射する第３噴射口１９ａ３とを備える。回転体ノズル２０は、供給口１９ｄからの洗浄水を噴射する第２噴射口２０ｅと、第３噴射口１９ａ３からの洗浄水による圧力を回転力に変換するブレード２０ｃとを有する。【選択図】図３
2019017743.tif 000002
【特許請求の範囲】
【請求項１】
食器類を収容する洗浄室と、前記洗浄室の内部に設けられ、上下方向に延びる第１軸線を中心として回転しつつ洗浄水を噴射するアームノズルとを備える食器洗浄機であって、
前記アームノズルは、上下方向に延びる第２軸線を中心として回転しつつ前記洗浄水を噴射する回転体ノズルと、前記回転体ノズルに前記食器類を洗浄するための前記洗浄水を供給する供給口と、前記回転体ノズルに回転力を与えるための前記洗浄水を噴射する動力用噴射口とを備え、
前記回転体ノズルは、前記供給口から供給された前記洗浄水を噴射する洗浄用噴射口と、前記動力用噴射口から噴射された前記洗浄水による圧力を回転力に変換する変換部とを有していることを特徴とする食器洗浄機。
【請求項２】
請求項１に記載の食器洗浄機において、
前記回転体ノズルは、前記供給口側の面に前記第２軸線を中心として周方向に延設され、前記洗浄用噴射口と連通している環状の凹部を有し、
前記供給口は、前記凹部のいずれかの部分に対向する位置に配設されていることを特徴とする食器洗浄機。
【請求項３】
請求項１又は請求項２に記載の食器洗浄機において、
前記アームノズルは、前記供給口を複数備え、
複数の前記供給口は、前記第２軸線を中心として周方向に等間隔に配設されていることを特徴とする食器洗浄機。
【請求項４】
請求項１〜請求項３のいずれか１項に記載の食器洗浄機において、
前記洗浄用噴射口は、前記変換部よりも径方向外側に配設されていることを特徴とする食器洗浄機。
【請求項５】
請求項１〜請求項４のいずれか１項に記載の食器洗浄機において、
前記変換部は、前記第２軸線を中心として径方向に延設されている複数のブレードであり、
前記回転体ノズルは、前記ブレードを複数有し、
複数の前記ブレードは、前記第２軸線を中心として周方向に互いに間隔を存して配置され、
前記動力用噴射口の開口径は、該動力用噴射口に対向する位置における前記ブレード同士の間隔よりも大きいことを特徴とする食器洗浄機。
【請求項６】
請求項１〜請求項５のいずれか１項に記載の食器洗浄機において、
前記アームノズルは、該アームノズルに供給された前記洗浄水を前記供給口に導く主流路と、前記主流路から該主流路の延設方向と交わる方向に分岐している副流路を備え、
前記動力用噴射口は、前記副流路を介して供給された前記洗浄水を噴射することを特徴とする食器洗浄機。
【発明の詳細な説明】
【技術分野】
【０００１】
本発明は、洗浄室に収容した食器類に洗浄水を噴射して食器類を洗浄する食器洗浄機に関する。
【背景技術】
【０００２】
従来、食器類を収容する洗浄室と、その洗浄室で洗浄水を噴射しつつ回転するアームノズルとを備え、噴射した洗浄水を食器類に当てることによって、食器類を洗浄する食器洗浄機がある。
【０００３】
この種の食器洗浄機では、食器類をその配置位置に関わらずムラなく洗浄するために、広範囲に洗浄水を噴射させたいという要望があった。そこで、アームノズルに設けられている洗浄水の噴射口に、回転自在なプロペラ状のブレードを備える回転体ノズルを配置して、その回転体ノズルによって洗浄水を拡散させて噴射する食器洗浄機が提案されている（例えば、特許文献１参照。）。
【先行技術文献】
【特許文献】
【０００４】
【特許文献１】特開平１１−３３２８１０号公報
【発明の概要】
【発明が解決しようとする課題】
【０００５】
ところで、特許文献１に記載の食器洗浄機では、食器類を洗浄するためにアームノズルから噴出させた洗浄水を回転体ノズルに衝突させることによって、回転体ノズルを回転させている。そのため、この食器洗浄機では、回転体ノズルを回転させる際に洗浄水の圧力が低減されるので、食器類に当たる際に洗浄水の圧力が十分に確保できず、米粒等の付着力の強い汚れに対する洗浄力が低減してしまうという問題があった。
【０００６】
本発明は以上の点に鑑みてなされたものであり、広範囲に洗浄水を噴射することができ、付着力の強い汚れに対しても十分な洗浄性能を有する食器洗浄機を提供することを目的とする。
【課題を解決するための手段】
【０００７】
上記目的を達成するために、本発明の食器洗浄機は、
食器類を収容する洗浄室と、前記洗浄室の内部に設けられ、上下方向に延びる第１軸線を中心として回転しつつ洗浄水を噴射するアームノズルとを備える食器洗浄機であって、
前記アームノズルは、上下方向に延びる第２軸線を中心として回転しつつ前記洗浄水を噴射する回転体ノズルと、前記回転体ノズルに前記食器類を洗浄するための前記洗浄水を供給する供給口と、前記回転体ノズルに回転力を与えるための前記洗浄水を噴射する動力用噴射口とを備え、
前記回転体ノズルは、前記供給口から供給された前記洗浄水を噴射する洗浄用噴射口と、前記動力用噴射口から噴射された前記洗浄水による圧力を回転力に変換する変換部とを有していることを特徴とする。
【０００８】
このように、本発明の食器洗浄機では、アームノズルに回転体ノズルを設けているので、洗浄室の内部の広範囲に亘って洗浄水を噴射させることができる。回転体ノズルには、洗浄を行う洗浄水を供給するための供給口とは独立して設けられている動力用噴射口から噴射された洗浄水によって、回転力が与えられる。これにより、回転体ノズルを回転させるために、洗浄を行う洗浄水の圧力が低減されることがない。
【０００９】
したがって、本発明の食器洗浄機によれば、回転体ノズルを設けた構成でありながら、洗浄を行うための洗浄水の圧力を十分に確保できるので、広範囲に洗浄水を噴射することができ、付着力の強い汚れに対しても十分な洗浄性能を実現することができる。
【００１０】
また、本発明の食器洗浄機においては、
前記回転体ノズルは、前記供給口側の面に前記第２軸線を中心として周方向に延設され、前記洗浄用噴射口と連通している環状の凹部を有し、
前記供給口は、前記凹部のいずれかの部分に対向する位置に配設されていることが好ましい。
【００１１】
このように構成すると、供給口から供給された洗浄水は、回転体ノズルがどの程度回転していたとしても凹部を介して洗浄用噴射口に導かれる。これにより、供給口から洗浄用噴射口に直接洗浄水を供給する構成に比べ、安定して洗浄するための洗浄水を噴射させる（すなわち、安定した洗浄性能を得る）ことができる。
【００１２】
また、本発明の食器洗浄機においては、
前記アームノズルは、前記供給口を複数備え、
複数の前記供給口は、前記第２軸線を中心として周方向に等間隔に配設されていることが好ましい。
【００１３】
供給口を複数配設した場合、その配設位置が偏っていると、供給口から噴射される洗浄水によって回転体ノズルに対して加えられる圧力も位置によって偏ってしまい、回転体ノズルが、その回転軸である第２軸線に対して傾斜した姿勢となるおそれがある。そして、そのような姿勢になると、回転体ノズルとそれを軸支している部材（例えば、アームノズル）等と接触して、回転体ノズルがスムーズに回転しにくくなってしまうおそれがある。
【００１４】
そこで、供給口を複数配設する場合には、それらを第２軸線を中心として周方向に等間隔に配設した構成にすると、供給口から噴射される洗浄水によって回転体ノズルに加えられる圧力が位置によらず一定になるので、回転体ノズルの第２軸線に対する傾斜が抑制され、回転体ノズルをスムーズに回転させることができる。これにより、安定した洗浄性能を得ることができる。
【００１５】
また、本発明の食器洗浄機においては、
前記洗浄用噴射口は、前記変換部よりも径方向外側に配設されていることが好ましい。
【００１６】
このように構成すると、回転体ノズルのサイズを変更せずに、洗浄用噴射口の可動半径を大きくすることができる。すなわち、回転体ノズルのサイズを変更せずに、広範囲に亘って洗浄水を噴射させることができる。
【００１７】
また、本発明の食器洗浄機においては、
前記変換部は、前記第２軸線を中心として径方向に延設されている複数のブレードであり、
複数の前記ブレードは、前記第２軸線を中心として周方向に互いに間隔を存して配置され、
前記動力用噴射口の開口径は、該動力用噴射口に対向する位置における前記ブレード同士の間隔よりも大きいことが好ましい。
【００１８】
このように構成すると、ブレードがどの位置にあっても、動力用噴射口から噴射された洗浄水がブレードに確実に衝突するので、回転体ノズルが安定して回転力を得ることができる。これにより、安定した洗浄性能を得ることができる。
【００１９】
また、本発明の食器洗浄機においては、
前記アームノズルは、該アームノズルに供給された前記洗浄水を前記供給口に導く主流路と、前記主流路から該主流路の延設方向と交わる方向に分岐している副流路を備え、
前記動力用噴射口は、前記副流路を介して供給された前記洗浄水を噴射することが好ましい。
【００２０】
このように構成すると、副流路の形状に応じて、副流路を流れる洗浄水の流速が低減され、動力用噴射口から噴射される洗浄水の勢い（ひいては、回転体ノズルの回転速度）も低減される。すなわち、副流路の長さ及び形状を調整するだけで、容易に回転体ノズルの回転速度を所望の回転速度に調整することができる。その結果、食器類の同一部分に対して衝突させる洗浄水の量を調整して、所望の洗浄性能を容易に設定することができる。
【図面の簡単な説明】
【００２１】
【図１】実施形態に係る食器洗浄機の構成を模式的に示す説明図。
【図２】図１の食器洗浄機のアームノズルの平面図。
【図３】図２のアームノズルの回転体ノズル及び設置部材の平面図。
【図４】図２のアームノズルの回転体ノズル及び設置部材の底面図
【図５】図２のアームノズルのＡ−Ａ線断面図。
【図６】図２のアームノズルの回転体ノズルの底面図。
【図７】図２のアームノズルの回転体ノズル及び設置部材の要部を拡大して示す説明図であり、図７Ａは平面図、図７Ｂは図７ＡのＢ−Ｂ線断面図。
【発明を実施するための形態】
【００２２】
以下、図面を参照して、実施形態に係る食器洗浄機１について説明する。図３に記載の矢印は、回転体ノズルの回転体方向を示す。また、図４及び図５に記載の矢印は、洗浄水の流れる方向を示す。
【００２３】
なお、以下に説明する本実施形態の食器洗浄機１は、システムキッチンに組み込んで設置されるビルトイン式の食器洗浄機であるが、本発明の食器洗浄機はそのような構成に限定されるものではなく、独立して用いられるフロントオープン式の食器洗浄機であってもよい。
【００２４】
図１に示すように、食器洗浄機１は、食器類Ｗを収容した洗浄槽２（洗浄室）を外装ケース３に内装する前面引き出し式の構成となっている。
【００２５】
洗浄槽２は、上部が開口した箱型形状をしており、洗浄槽２の前面に扉パネル４が設けられている。
【００２６】
外装ケース３の内部には、洗浄槽２に水を供給する給水管５と、洗浄槽２の排水を行なう排水ホース６と、洗浄槽２の内部に乾燥用の空気を送風する乾燥ファン７と、洗浄槽２の運転を制御する制御ユニット８とが設けられている。
【００２７】
洗浄槽２の内部には、食器類Ｗを保持する上部食器かご９及び下部食器かご１０が設けられるとともに、上部食器かご９及び下部食器かご１０に保持された食器類Ｗに向けて洗浄水を噴射する洗浄ノズル１１と、洗浄水を加温するヒータ１２とが設けられている。
【００２８】
洗浄槽２の底部には、洗浄中に洗浄水を一時貯留する貯留部１３が形成されている。貯留部１３は、残菜フィルタ１４により覆われており、残菜の侵入が防止されている。
【００２９】
貯留部１３には、循環ポンプ１５が接続されている。循環ポンプ１５は、インペラ１６と、インペラ１６を回転駆動するモータ１７とを備えている。循環ポンプ１５では、洗浄時には、インペラ１６を正転させることにより貯留部１３の洗浄水を洗浄ノズル１１に向かって送り出して循環させ、洗浄終了時にインペラ１６を逆転させることにより貯留部１３の洗浄水を排水ホース６に向かって送り出して排水する。
【００３０】
洗浄ノズル１１は、上下方向に延びる第１軸線ａ１を中心として回転しながら食器類Ｗに向けて洗浄水を噴射するものであり、中央部分から横方向に延びる一対のアームノズル１８によって構成されている。
【００３１】
アームノズル１８は中空の部材として構成されており、その内部の空間は、インペラ１６によって供給された洗浄水が流れる主流路１８ａと（図５参照）なっている。アームノズル１８の一方には、設置部材１９が取り付けられており、その設置部材１９を介して、上下方向に延びる第２軸線ａ２を中心として回転自在な回転体ノズル２０が設けられている。
【００３２】
図２に示すように、アームノズル１８には、供給された洗浄水を噴射するための第１噴射口１８ｂが複数設けられている。洗浄ノズル１１では、アームノズル１８に設けられた複数の第１噴射口１８ｂ及び回転体ノズル２０から噴射された洗浄水によって、食器類Ｗを洗浄する。
【００３３】
なお、アームノズル１８の第１噴射口１８ｂ一部から噴射される洗浄水は、食器類Ｗを洗浄するためだけではなく、洗浄ノズル１１を回転させる推進力を得るためにも用いられる。
【００３４】
ここで、図３〜図７を参照して、回転体ノズル２０、及び、回転体ノズル２０を支持する設置部材１９の構成について、詳細に説明する。
【００３５】
図３に示すように、回転体ノズル２０は、環状の第１環状部２０ａ（図６参照）と、第１環状部２０ａと同心に設けられた第２環状部２０ｂと、第１環状部２０ａと第２環状部２０ｂとの間で、第１環状部２０ａから放射状に延びる複数のブレード２０ｃ（変換部）とを有している。
【００３６】
図３の平面図及び図４の底面図に示すように、設置部材１９は、回転体ノズル２０の第１環状部２０ａ及びブレード２０ｃを覆う円盤部１９ａと、円盤部１９ａと同心に設けられ、回転体ノズル２０の第２環状部２０ｂの外縁に沿って延びる環状の枠体部１９ｂと、円盤部１９ａと枠体部１９ｂとの間で、円盤部１９ａから放射状に延びる複数の橋梁部１９ｃとを有している。
【００３７】
図５の断面図に示すように、回転体ノズル２０の第１環状部２０ａの中心には、開口部２０ａ１が形成されている。また、設置部材１９の円盤部１９ａの中心には、貫通孔１９ａ１が設けられおり、貫通孔１９ａ１の周縁部からは、上方に向かって筒状部１９ａ２が延設されている。
【００３８】
回転体ノズル２０の開口部２０ａ１には、設置部材１９の筒状部１９ａ２が、挿通されている。これにより、回転体ノズル２０は、設置部材１９に対して、第２軸線ａ２を中心として回転自在になっている。
【００３９】
また、回転体ノズル２０と設置部材１９とは、開口部２０ａ１と筒状部１９ａ２及び貫通孔１９ａ１とに挿通されている軸部材２１によって、第２軸線ａ２方向における相対的な位置が固定されている。
【００４０】
ここで、回転体ノズル２０を介して、食器類Ｗを洗浄するために洗浄水を噴射する機構について説明する。
【００４１】
図５及び図６に示すように、回転体ノズル２０の第２環状部２０ｂの裏側の面（設置部材１９側の面）には、第２軸線ａ２を中心として周方向に延設された円環状の凹部２０ｄが形成されている。凹部２０ｄの内部の空間と回転体ノズル２０の上方の空間とは、第２噴射口２０ｅ（洗浄用噴射口）を介して連通されている。
【００４２】
図４及び図５に示すように、設置部材１９には、円盤部１９ａの外縁と枠体部１９ｂの内縁と橋梁部１９ｃとによって、複数の供給口１９ｄが形成されている。供給口１９ｄは、いずれも回転体ノズル２０の凹部２０ｄに対向するように配設されている。そのため、凹部２０ｄの内部の空間と設置部材１９の下方の空間（アームノズル１８の内部に形成されている主流路１８ａ）とは、供給口１９ｄを介して連通されている。
【００４３】
すなわち、主流路１８ａを流れる洗浄水の一部は、設置部材１９の供給口１９ｄを介して、回転体ノズル２０の凹部２０ｄに導かれた後、第２噴射口２０ｅから食器類Ｗを洗浄するために噴射される。
【００４４】
このとき、回転体ノズル２０は第２軸線ａ２を中心として回転し、その回転体ノズル２０が設置されているアームノズル１８は、第１軸線ａ１（図２参照）を中心として回転するので、第２噴射口２０ｅからの洗浄水は、洗浄槽２の内部の広範囲に亘って噴射されることになる。
【００４５】
なお、食器洗浄機１では、回転体ノズル２０の凹部２０ｄ及びそれに対向するように設けられている設置部材１９の供給口１９ｄを介して、主流路１８ａから第２噴射口２０ｅへと、食器類Ｗを洗浄するための洗浄水を導いている。
【００４６】
これにより、主流路１８ａからの洗浄水は、回転体ノズル２０がどの程度回転していたとしても、第２噴射口２０ｅに導かれる。その結果、供給口１９ｄから直接第２噴射口２０ｅに洗浄水を導く構成に比べ、第２噴射口２０ｅから安定して洗浄するための洗浄水を噴射させることができるようになっている。
【００４７】
しかし、本発明の食器洗浄機はそのような構成に限定されるものではない。例えば、第２噴射口２０ｅが複数設けられている場合等には、凹部２０ｄを省略してもよい。また、凹部２０ｄは、必ずしも円環状である必要はなく、回転体ノズル２０がどの程度回転していても供給口１９ｄの少なくとも一部が対向できるような環状であればよい。例えば、多角形の環状であってもよい。
【００４８】
ところで、洗浄性能を向上させるためには洗浄水の量が多いほど好ましいので、洗浄水を噴射する回転体ノズル２０に供給される洗浄水の量も多いほど好ましい。そこで、食器洗浄機１では、回転体ノズル２０に対し洗浄用の洗浄水を供給する供給口１９ｄを複数設けている。
【００４９】
しかし、供給口１９ｄを複数配設した場合、その配設位置が偏っていると、供給口１９ｄから噴射される洗浄水によって回転体ノズル２０に対して加えられる圧力も位置によって偏ってしまい、回転体ノズル２０が、その回転軸である第２軸線ａ２に対して傾斜した姿勢となるおそれがある。
【００５０】
そして、そのような姿勢になると、回転体ノズル２０とそれを軸支している部材（具体的には、設置部材１９の筒状部１９ａ２及び軸部材２１）等と接触して、回転体ノズル２０がスムーズに回転しにくくなってしまうおそれがある。
【００５１】
そこで、図４に示すように、食器洗浄機１では、複数の供給口１９ｄを第２軸線ａ２を中心として周方向に等間隔に配設している。これにより、供給口１９ｄから噴射される洗浄水によって回転体ノズル２０に加えられる圧力が位置によらず一定になるので、回転体ノズル２０の第２軸線ａ２に対する傾斜が抑制され、回転体ノズル２０をスムーズに回転させることができるようになっている。
【００５２】
なお、供給口１９ｄは、必ずしも複数配設する必要はなく、供給口１９ｄが十分に大きい場合等、洗浄水の量が十分である場合には、１つだけ配設するようにしてもよい。また、回転体ノズル２０及び設置部材１９を形成するために用いた素材の摩擦係数が低い場合等、回転体ノズル２０の姿勢の傾斜があまり問題にならない場合には、供給口１９ｄを偏った配置としてもよい。
【００５３】
次に、回転体ノズル２０に対し、回転力を与えるための機構について説明する。
【００５４】
図４に示すように、設置部材１９の円盤部１９ａには、回転体ノズル２０のブレード２０ｃに対向する位置に、回転体ノズル２０に回転力を与えるための洗浄水を噴射する第３噴射口１９ａ３（動力用噴射口）が形成されている。
【００５５】
図５に示すように、第３噴射口１９ａ３は、円盤部１９ａの下方の空間（すなわち、アームノズル１８の内部に形成されている主流路１８ａ）と円盤部１９ａの上方の空間（すなわち、ブレード２０ｃが存在する空間）とを連通しており、主流路１８ａから後述する溝部１９ａ４を介して供給された洗浄水を噴射する。
【００５６】
図７Ａ及び図７Ｂに示すように、複数のブレード２０ｃ同士の間隔は、第３噴射口１９ａ３の径よりも狭く形成されている。具体的には、ブレード２０ｃ同士の間隔ｄは、第３噴射口１９ａ３の開口径Ｄよりも小さく形成されている。これにより、ブレード２０ｃがどの位置にあっても、第３噴射口１９ａ３から噴射された洗浄水がブレード２０ｃに確実に衝突する。
【００５７】
第３噴射口１９ａ３から噴射された洗浄水がブレード２０ｃに衝突した際にブレード２０ｃに加えられる圧力は、ブレード２０ｃによって、回転体ノズル２０を回転させるための回転力に変換される。
【００５８】
具体的には、図７Ｂに示すように、ブレード２０ｃが、その側面部２０ｃ１が第２軸線ａ２に対して周方向一方側に傾斜し、且つ、その下面部２０ｃ２が側面部２０ｃ１よりも周方向一方側にさらに傾斜した板材として形成されているので、その側面部２０ｃ１及び下面部２０ｃ２に噴きつけられた洗浄水の圧力が、ブレード２０ｃの周方向への移動力（すなわち、回転体ノズル２０の回転力）へと変換される。
【００５９】
ここで、食器洗浄機１では、回転体ノズル２０に回転力を与えるために洗浄水を噴射する第３噴射口１９ａ３は、洗浄を行う洗浄水を供給するための供給口１９ｄとは独立して設けられており、それらに対する洗浄水の供給経路も異なっている。そのため、回転体ノズル２０を回転させるために第３噴射口１９ａ３から洗浄水を噴射したことによって、供給口１９ｄから噴射される洗浄水の圧力が低減されることがない。
【００６０】
したがって、食器洗浄機１によれば、回転体ノズル２０を設けた構成でありながら、洗浄を行うための洗浄水の圧力を十分に確保できるので、広範囲に洗浄水を噴射することができ、付着力の強い汚れに対しても十分な洗浄性能を実現することができる。
【００６１】
なお、食器洗浄機１では、洗浄水の圧力を回転力に変換する変換部としてブレード２０ｃを採用しているので、ブレード２０ｃに噴きつけられた洗浄水は、ブレード２０ｃに衝突した後、上方の空間（すなわち、食器類Ｗが存在している空間）に拡散されることになる。これにより、第３噴射口１９ａ３から噴射された洗浄水は、回転体ノズル２０に回転力を与えるだけではなく、食器類Ｗを洗浄するためにも用いられる。
【００６２】
ところで、図５に示すように、設置部材１９の円盤部１９ａの厚さは、アームノズル１８に取り付けた状態で、主流路１８ａの底面に隣接する程度の厚さとなっている。また、図４に示すように、円盤部１９ａの裏側の面には、主流路１８ａから洗浄水が流入可能な溝部１９ａ４（副流路）が形成されている。
【００６３】
洗浄水をブレード２０ｃに向かって噴射する第３噴射口１９ａ３は、溝部１９ａ４の最奥部に形成されている。一方、溝部１９ａ４の入り口部分は、円盤部１９ａの周面部に形成されている（すなわち、溝部１９ａ４は、アームノズル１８の主流路１８ａの延設方向と交わる方向に分岐している。）。また、溝部１９ａ４は、第２軸線ａ２を迂回するように湾曲して延設されている。さらに、溝部１９ａ４の側壁面には、複数の突出部が形成されている。
【００６４】
これらの構成により、主流路１８ａから溝部１９ａ４に流れ込んだ洗浄水の流速は、溝部１９ａ４の長さ及び形状に応じて、主流路１８ａを流れる洗浄水の流速よりも低減されている。すなわち、溝部１９ａ４を介して、第３噴射口１９ａ３に供給される洗浄水の速度も低減されている。
【００６５】
食器洗浄機１では、溝部１９ａ４の長さ及び形状を調整することによって、第３噴射口１９ａ３から噴射される洗浄水の速度（ひいては、回転体ノズル２０の回転速度）を、所望の速度に調整している。これにより、食器類Ｗの同一部分に対し得衝突させる洗浄水の量を調整して、洗浄性能の調整を行っている。
【００６６】
なお、本発明の食器洗浄機の副流路の長さ及び形状は、上記の溝部１９ａ４のような構成に限定されるものではなく、必要となる回転体ノズルの回転速度に応じて適宜変更してよい。
【００６７】
例えば、溝部１９ａ４を、第２軸線ａ２を迂回せず直線的に延設してもよい。また、溝部１９ａ４の側壁部に突出部を設けなくてもよい。また、溝部１９ａ４を省略し、円盤部１９ａを薄く形成して、主流路１８ａを流れる洗浄水を直接第３噴射口１９ａ３に導くようにしてもよい。また、円盤部１９ａに貫通孔を形成し、溝部１９ａ４ではなく、その貫通孔を副流路としてもよい。
【００６８】
以上、図示の実施形態について説明したが、本発明はこのような形態に限られるものではない。
【００６９】
例えば、上記実施形態においては、設置部材１９とアームノズル１８とを別部材として構成している。しかし、本発明はそのような構成に限定されるものではなく、設置部材１９をアームノズル１８の一部として一体的に構成してもよい。例えば、アームノズル１８に設置部材１９の枠体部１９ｂが連設された構成としてもよい。
【００７０】
また、上記実施形態においては、変換部としてブレード２０ｃを用いている。しかし、本発明の変換部は、上記のようなブレードに限定されるものではなく、動力用噴射口から噴射された洗浄水による圧力を回転力に変換できるものであればよい。例えば、回転体ノズルの周面部に、その回転中心となる軸線に対して傾斜した凹凸又は溝を設け、その凹凸又は溝に対して洗浄水を噴射することによって、回転力を得るようにしてもよい。
【００７１】
また、上記実施形態においては、変換部であるブレード２０ｃの径方向外側に位置する第２環状部２０ｂに、洗浄用噴射口である第２噴射口２０ｅを設けている。これは、回転体ノズル２０のサイズを変更せずに、洗浄用噴射口の可動半径を大きくするためである。すなわち、回転体ノズル２０のサイズを変更せずに、広範囲に亘って洗浄水を噴射させるためである。
【００７２】
しかし、本発明はそのような構成に限定されるものではなく、変換部と洗浄用噴射口とは同心円状に位置していてもよいし、変換部の径方向内側に洗浄用噴射口が位置していていもよい。なお、変換部を径方向外側に位置させた場合には、少ない水量で回転体ノズルを回転させることができるようになる。
【００７３】
また、上記実施形態においては、複数のブレード２０ｃ同士の間隔ｄを第３噴射口１９ａ３（動力用噴射口）の開口径Ｄよりも小さく形成することにより、ブレード２０ｃがどの位置にあっても、第３噴射口１９ａ３から噴射された洗浄水がブレード２０ｃに確実に衝突するように構成している。これは、回転体ノズル２０の回転を安定化させるためである。
【００７４】
しかし、本発明はそのような構成に限定されるものではない。例えば、回転体ノズル自体が偏心した形状であり、アームノズルの回転に応じて回転が開始される構成である場合等には、ブレード同士の間隔を動力用噴射口の開口径よりも大きく形成してもよい。
【符号の説明】
【００７５】
１…食器洗浄機、２…洗浄槽（洗浄室）、３…外装ケース、４…扉パネル、５…給水管、６…排水ホース、７…乾燥ファン、８…制御ユニット、９…上部食器かご、１０…下部食器かご、１１…洗浄ノズル、１２…ヒータ、１３…貯留部、１４…残菜フィルタ、１５…循環ポンプ、１６…インペラ、１７…モータ、１８…アームノズル、１８ａ…主流路、１８ｂ…第１噴射口、１９…設置部材、１９ａ…円盤部、１９ａ１…貫通孔、１９ａ２…筒状部、１９ａ３…第３噴射口（動力用噴射口）、１９ａ４…溝部（副流路）、１９ｂ…枠体部、１９ｃ…橋梁部、１９ｄ…供給口、２０…回転体ノズル、２０ａ…第１環状部、２０ａ１…開口部、２０ｂ…第２環状部、２０ｃ…ブレード（変換部）、２０ｃ１…側面部、２０ｃ２…下面部、２０ｄ…凹部、２０ｅ…第２噴射口（洗浄用噴射口）、２１…軸部材、ａ１…第１軸線、ａ２…第２軸線、Ｗ…食器類。
【図１】
2019017743.tif 000003
【図２】
2019017743.tif 000004
【図３】
2019017743.tif 000005
【図４】
2019017743.tif 000006
【図５】
2019017743.tif 000007
【図６】
2019017743.tif 000008
【図７】
2019017743.tif 000009